(57)【要約】【課題】複数の熱交換器を一体化する構造において、各熱交換器の着脱及び清掃が容易であると共に、各熱交換器の放熱性能を最大限に引き出し得る構造の提供。【解決手段】夫々の熱交換器コアをそのコア平面が同一になるように並列し、上下のタンクにおいて連結フレーム４，５を介して着脱自在に一体化する。【選択図】　　　　図１
2004060933.tif 000002
【特許請求の範囲】
【請求項１】
夫々上下にタンク（１ａ）（２ａ）（３ａ）が設けられた複数の熱交換器（１）　（２）　（３）　を有し、
コアの幅方向に隣接して夫々の熱交換器（１）　（２）　（３）　を、その各コア平面が同一になるように並列して、各熱交換器（１）　（２）　（３）　が、夫々の前記タンク（１ａ）（２ａ）（３ａ）により連結フレーム（４）　（５）　を介して着脱自在に一体化され、
夫々のコアに冷却用空気が同時に流通するように構成された複数熱交換器の一体化構造。
【請求項２】
請求項１において、
夫々の厚みを同一とし且つ、縦長に夫々のコアを形成した、エンジン冷却水冷却用の熱交換器（１）　と、オイル冷却用の熱交換器（２）　と、過給気冷却用の熱交換器（３）　とが、一列に並列されて前記連結フレーム（４）　（５）　により一体化された複数熱交換器の一体化構造。
【請求項３】
請求項１または請求項２において、
上下一対の前記連結フレーム（４）　（５）　の一端どうしおよび他端どうしが一対のサイドフレーム（６）　で接続された複数熱交換器の一体化構造。
【請求項４】
請求項２において、
前記オイル冷却用の熱交換器（２）　は、夫々上下にタンク（２ａ）を有する複数のコア（２ｂ）（２ｃ）が厚み方向に重ね合わされ、夫々の両側どうしが連結金具（８）　で接続されたものからなる複数熱交換器の一体化構造。
【発明の詳細な説明】
【０００１】
【発明の属する技術分野】
本発明は、主として建設機械用のエンジン冷却水冷却用熱交換器及びオイル冷却用熱交換器並びに過給気冷却用熱交換器を一体化したものに関する。
【０００２】
【従来の技術】
建設機械には、ラジエータ，オイルクーラ，インタークーラ等の熱交換器がその厚み方向に配置され、適宜なフレームによりそれらの間が一体的に固定されていた。
【０００３】
【発明が解決しようとする課題】
熱交換器のコアが厚み方向に重なり合うと、エアーブロー等による清掃が困難である。
また、夫々の熱交換器の着脱が面倒である欠点があった。
さらにはコアが厚み方向に重ね合わさられると、空気流の下流側の熱交換器は被冷却用熱交換媒体と冷却用空気との温度差が小さくなり、熱交換性能が低下する欠点があった。
そこで、清掃が容易で且つ、整備のための着脱が容易で、性能の良い複数熱交換器の一体化構造を提供することを課題とする。
【０００４】
【課題を解決するための手段】
請求項１に記載の本発明は、夫々上下にタンク（１ａ）（２ａ）（３ａ）が設けられた複数の熱交換器（１）　（２）　（３）　を有し、
コアの幅方向に隣接して夫々の熱交換器（１）　（２）　（３）　を、その各コア平面が同一になるように並列して、各熱交換器（１）　（２）　（３）　が、夫々の前記タンク（１ａ）（２ａ）（３ａ）により連結フレーム（４）　（５）　を介して着脱自在に一体化され、
夫々のコアに冷却用空気が同時に流通するように構成された複数熱交換器の一体化構造である。
【０００５】
請求項２に記載の本発明は、請求項１において、
夫々の厚みを同一とし且つ、縦長に夫々のコアを形成した、エンジン冷却水冷却用の熱交換器（１）　と、オイル冷却用の熱交換器（２）　と、過給気冷却用の熱交換器（３）　とが、一列に並列されて前記連結フレーム（４）　（５）　により一体化された複数熱交換器の一体化構造である。
【０００６】
請求項３に記載の本発明は、請求項１または請求項２において、
上下一対の前記連結フレーム（４）　（５）　の一端どうしおよび他端どうしが一対のサイドフレーム（６）　で接続された複数熱交換器の一体化構造である。
請求項４に記載の本発明は、請求項２において、
前記オイル冷却用の熱交換器（２）　は、夫々上下にタンク（２ａ）を有する複数のコア（２ｂ）（２ｃ）が厚み方向に重ね合わされ、夫々の両側どうしが連結金具（８）　で接続されたものからなる複数熱交換器の一体化構造である。
【０００７】
【発明の実施の形態】
次に、図面に基づいて本発明の実施の形態につき説明する。
図１は本発明の複数熱交換器の一体化構造の斜視図であり、図２はその分解斜視図である。また、図３はオイルクーラとしての熱交換器２自体の分解斜視図である。
この構造は、夫々厚み及び高さを略同一としたエンジン冷却水冷却用の熱交換器１と、オイル冷却用の熱交換器２と、過給気冷却用の熱交換器３とがそのコア平面が同一となるように並列され、上下一対の連結フレーム４，５によって三つの熱交換器が一体化されたものである。
【０００８】
各熱交換器１〜３は夫々上下一対のタンク１ａ，２ａ，３ａを有し、それらの間に偏平なチューブ１０とコルゲート型のフィン１１とかなるコアが配置され、チューブ１０の両端が両タンクに連通したアルミニューム製のものである。
また、オイル冷却用の熱交換器２は図３に示す如く、オイルの内圧の高いものに適用されるので、夫々上下に一対づつのタンク２ａを有するコア２ｂ，２ｃを有する。そして、一対の上端のタンク２ａ間および下端のタンク２ａ間が連通タンク３ｂによって連通される。さらにコア２ｂとコア２ｃとを、コ字状の連結金具８を介してボルト１８により一体化したものである。そしてこのような連結金具８に、連結フレーム４，５がボルトによって固定される。
【０００９】
次に、下側の連結フレーム５はその中央部に断面Ｌ字状のプレートが延在し、その上面に位置決め用ピン１９が突設固定されている。そして、その位置決め用ピン１９に各下側のタンク１ａ，タンク３ａ，タンク２ａの下面に設けた図示しない凹部が嵌着し位置決めされる。
また、最左の熱交換器２の左側及び、最右の熱交換器１の右側には夫々サイドフレーム６が配置され、連結フレーム４，５の両端がそれらに連結される。さらに並列された熱交換器１，２，３の前面にはファンシュラウド９が取付けられ、図示しないファンがその内部に設けられる。
【００１０】
また、一対のサイドフレーム６の前面側には、ブラケット１２を介して空調用の熱交換器１３が配置される。この熱交換器１３と他の各熱交換器との間は比較的大きな空間が設けられ、各熱交換器の清掃を容易にしている。
このブラケット１２はその取付部が一対のアーム状に突設され、その突設端に熱交換器１３の左右のタンク１３ａが接続されている。これは、清掃のためエアーブローを容易に行えるようにしたものである。
なお、熱交換器１のタンク１ａには一対の冷却水出入口パイプ１５が突設され、熱交換器３の一対のタンク３ａには夫々エアーパイプ１６が突設される。また、熱交換器２の上下一対の連通タンク３ｂには夫々オイルパイプ１４が接続される。
【００１１】
さらにタンク１ａ及びタンク３ａの前面側には、予めナット１７がろう付け等の手段で固定されている。
また、この例では４つの熱交換器は夫々アルミニューム製のコルゲートフィン型コアを有する。そして、そのチューブ及びフィンピッチが夫々同一に形成されている。それにより、一つのファンによって起風したとき夫々の熱交換器コアに均一に空気流が流通する。そして、各熱交換器の熱交換性能を向上できる。
なお、夫々の熱交換器は縦長に形成され、三者一体となって全体が略正方形に形成される。それにより、一つの大型ファンで全体を起風することが可能となる。
【００１２】
次に、図４及び図５は二つのコア２ｂ，２ｃの二対のタンク２ａどうしの接続構造を夫々示す説明図である。
図４のものは、連結フレーム４，５にＬ字状の連結金具８が固定され、その連結金具８が上下一対づつのタンク２ａ間を一体化する。夫々のタンク２ａの両端には袋ナット状のナット部が形成され、それと連結金具８の夫々のボルト孔とが整合されそこにボルト１８を締結固定することにより一体化するものである。
次に図５の例は、一対づつのタンク２ａを含むコア２ｂ，２ｃの高さに略等しく両者の厚みの和に等しい幅を有する連結金具８が熱交換器２の両側に配置されて、コア２ｂ，２ｃ間が一体化されるものである。このような幅広の連結金具８を取付けることにより、コア２ｂ，２ｃの両側の隙間から冷却用空気が流出するのを防止するものである。
【００１３】
【発明の作用・効果】
本発明の複数熱交換器の一体化構造は、夫々のコア平面が同一になるように各熱交換器１，２，３が夫々のタンク１ａ，２ａ，３ａにより連結フレーム４，５を介して着脱自在に一体化されたものであるから、各熱交換器の清掃が容易であると共に、その着脱が容易で整備点検の行い易いものとなる。
さらに各熱交換器が一平面上に並列されているため、熱交換性能の高いものとなる。即ち、冷却用空気流が同時に各熱交換器のコアに流通するから、夫々の流通空気の温度を等しくし被熱交換流体との温度差を高くし、熱交換性能を向上させることができる。
【図面の簡単な説明】
【図１】本発明の複数熱交換器の一体化構造を示す斜視図。
【図２】同構造の分解斜視図。
【図３】同構造に用いられる熱交換器２の組立説明図。
【図４】同構造の組立説明図であって、他の例を示すもの。
【図５】同構造の組立説明図であって、さらに他の例を示すもの。
【符号の説明】
１〜３　熱交換器
１ａ，２ａ，３ａ　タンク
２ｂ，２ｃ　コア
３ｂ　連通タンク
４，５　連結フレーム
６　サイドフレーム
８　連結金具
９　ファンシュラウド
１０　チューブ
１１　　フィン
１２　　ブラケット
１３　　熱交換器
１３ａ　　タンク
１４　　オイルパイプ
１５　　冷却水出入口パイプ
１６　　エアーパイプ
１７　　ナット
１８　　ボルト
１９　　位置決め用ピン
【図１】
2004060933.tif 000003
【図２】
2004060933.tif 000004
【図３】
2004060933.tif 000005
【図４】
2004060933.tif 000006
【図５】
2004060933.tif 000007
【手続補正書】
【提出日】平成15年2月13日(2003.2.13)
【手続補正１】
【補正対象書類名】明細書
【補正対象項目名】請求項１
【補正方法】変更
【補正の内容】
【請求項１】
夫々上下にタンク（１ａ）（２ａ）（３ａ）が設けられた複数の熱交換器（１）（２）（３）　を有し、
コアの幅方向に隣接して夫々の熱交換器（１）（２）（３）　を並列し、各熱交換器（１）（２）（３）　が、夫々の前記タンク（１ａ）（２ａ）（３ａ）により連結フレーム（４）（５）を介して着脱自在に一体化され、
夫々のコアに冷却用空気が同時に流通するように構成された複数熱交換器の一体化構造。
【手続補正２】
【補正対象書類名】明細書
【補正対象項目名】０００４
【補正方法】変更
【補正の内容】
【０００４】
【課題を解決するための手段】
請求項１に記載の本発明は、夫々上下にタンク（１ａ）（２ａ）（３ａ）が設けられた複数の熱交換器（１）（２）（３）　を有し、
コアの幅方向に隣接して夫々の熱交換器（１）（２）（３）　を並列し、各熱交換器（１）（２）（３）　が、夫々の前記タンク（１ａ）（２ａ）（３ａ）により連結フレーム（４）（５）を介して着脱自在に一体化され、
夫々のコアに冷却用空気が同時に流通するように構成された複数熱交換器の一体化構造である。


【手続補正３】
【補正対象書類名】明細書
【補正対象項目名】００１３
【補正方法】変更
【補正の内容】
【００１３】
【発明の作用・効果】
本発明の複数熱交換器の一体化構造は、夫々のコアがその幅方向に隣接して並列し、各熱交換器１，２，３が夫々のタンク１ａ，２ａ，３ａにより連結フレーム４，５を介して着脱自在に一体化されたものであるから、各熱交換器の清掃が容易であると共に、その着脱が容易で整備点検の行い易いものとなる。
さらに各熱交換器がその幅方向に並列されているため、熱交換性能の高いものとなる。即ち、冷却用空気流が同時に各熱交換器のコアに流通するから、夫々の流通空気の温度を等しくし、被熱交換流体との温度差を高くし、熱交換性能を向上させることができる。、